(57)【特許請求の範囲】
【請求項１】
筒部Ａと、該筒部Ａの下端開口部を密封する底部Ｂと、該筒部Ａの上端開口部を密封する蓋部Ｃとからなり、前記筒部Ａの側壁にその下端から上端方向に向かって徐々に細径となるテーパー状内周面を備え、該筒部Ａの上端開口部より下側にある側壁内周面に内方に向かって突出しその内径を上端開口部より細径とする絞り部を備えたことを特徴とする薄板小片状チップ振り出し容器。
【請求項２】
前記底部Ｂは前記筒部Ａの下端開口部に一体成形されている請求項１記載の薄板小片状チップ振り出し容器。
【請求項３】
前記底部Ｂ又は蓋部Ｃの内面に内容物の湿気を防ぐ乾燥剤Ｄが装填されている請求項１又は請求項２記載の薄板小片状チップ振り出し容器。
【請求項４】
筒部Ａと、該筒部Ａの下端開口部を密封するカップ状底部Ｂと、該筒部Ａの上端開口部を密封する蓋部Ｃとからなり、前記筒部Ａの側壁にその下端から上端方向に向かって徐々に細径となるテーパー状内周面を備え、該筒部Ａの上端開口部より下側にある側壁内周面に内方に向かって突出しその内径を上端開口部より細径とする絞り部を備えたことを特徴とする薄板小片状チップ振り出し容器。
【請求項５】
前記カップ状底部Ｂは前記筒部Ａの下端開口部の側壁内周面又は外周面に密に嵌着若しくは螺着して該下端開口部を密封する請求項４記載の薄板小片状チップ振り出し容器。
【請求項６】
前記カップ状底部Ｂ内部又は前記蓋部Ｃ内面に内容物の湿気を防ぐ乾燥剤Ｄが装填されている請求項４又は請求項５記載の薄板小片状チップ振り出し容器。
【請求項７】
前記蓋部Ｃは前記筒部Ａの上端開口部の側壁内周面又は外周面に嵌着若しくは螺着して該上端開口部を密封する請求項１乃至請求項６記載の薄板小片状チップ振り出し容器。
【請求項８】
請求項１乃至請求項６記載の薄板小片状チップ振り出し容器であって、前記筒部Ａの上端開口部の側壁が外周側壁と内周側壁との二重側壁により形成されていることを特徴とする薄板小片状チップ振り出し容器。
【請求項９】
請求項１乃至請求項６記載の薄板小片状チップ振り出し容器であって、前記筒部Ａの上端開口部の側壁が外周側壁と内周側壁との二重側壁により形成され、前記蓋部Ｃが筒状側壁と天板と該天板より垂下する施蓋用のインナーリング部とからなり、該インナーリング部が前記筒部Ａの内周側壁の内周面と密に嵌着して密封されることを特徴とする薄板小片状チップ振り出し容器。
【請求項１０】
前記絞り部の水平断面形状が真円形若しくは略真円形、又は長円形、楕円形、正方形、角丸正方形、長方形、角丸長方形、多角形、角丸多角形、星形、角丸星形、放射形、角丸放射形である請求項１乃至請求項９記載の薄板小片状チップ振り出し容器。
【請求項１１】
前記絞り部の材質が樹脂又はゴムである請求項１乃至請求項１０記載の薄板小片状チップ振り出し容器。
【発明の詳細な説明】
【０００１】
【発明の属する技術分野】
本発明は、血糖値の測定検査など医療関係の測定、検査、治療などに使用する医療用センサーチップなど薄板小片状チップ振り出し容器に関する。
【０００２】
【従来の技術】
従来の医療関係の測定用センサーチップは、一般に小片で薄板状の形状を呈しており、このような形状のセンサーチップを収納包装するための容器としては、外気や湿気や雑菌などの侵入を防止するために、気密性や密封性のある容器が使用されている。
【０００３】
例えば、フィルム包材を用いて密封製袋加工して形成したフィルムケースタイプのものが多用されており、また、図５に示すようなプラスチック成形加工にて形成された筒状側壁３２、底板３３、上部開口部３４とからなる硬質の密封筒状ケース３１も使用されている。
【０００４】
【発明が解決しようとする課題】
従来の密封製袋されたフィルムケースの場合には、ケース本体は簡素であるものの、ケースが柔軟であるために外部からの衝撃でチップに折損が生じたり、また、チップが１枚ずつケース内に包装されているために取り出す際にケースを一つ一つ開封する手間が掛かり、使い勝手が悪い面がある。
【０００５】
また、図５（ａ）に示したような従来の硬質プラスチックによる筒状ケース３１の場合には、ケース本体は硬質であるため、外部からの衝撃によるチップの折損は生じないものの、該筒状ケース３１内には多数枚のチップが一括収納されているため、その中から１枚のチップを取り出す際に取り出し難い面がある。
【０００６】
このようなことから、上記筒状ケースにおいては、検査測定時にセンサーチップを１枚（１個）ずつ取り出し易くした振り出しタイプの密封筒状ケースも使用されてきている。
【０００７】
従来の上記振り出しタイプを含めた筒状ケースの場合には、図５（ｂ）に示すように、天板３６と、天板３６の下面に設けた比較的柔軟性のある外周面を備えるプラスチック製の栓部３７とからなる蓋部３５（キャップ）を、図５（ａ）に示すケース本体の取り出し用の上端開口部３４の内周面に密に嵌着して施蓋して密封されているが、ケース３１からチップを取り出す際に、蓋部３５を容器開口部３４に対して、開けたり（取り外したり）閉めたり（装着したり）して繰り返し使用するため、使用している間に施蓋時における蓋部３５の栓部３７とケース３１本体開口部３４との間の密着性が低下して、機密性や密封性が徐々に損なわれる傾向がある。
【０００８】
また、従来の振り出しタイプを含めた筒状ケースの場合、上記ケース開口部３４の開口径（開口面積）が大きいため、外気の湿気の影響を大きく受け易く、また、上記筒状ケースをチップを１枚ずつ取り出すための振り出しタイプのケースとした場合には、該ケースの開口部３４を下方に向けてチップを振り出す際に、開口部３４の開口径（開口面積）が大きいため１枚ずつ取り出すことが難しく、チップが多く出過ぎたり、多く出過ぎたチップを容器内に戻す際の手間が掛かっていた。
【０００９】
本発明は、医療用センサーチップなど多数枚の薄板小片状チップを一括収納包装する振り出し容器であって、容器内の薄板状小片チップを外気や湿気との接触から保護するとともに、容器の中からチップを１枚ずつ取り出し易く改良することを目的とする。
【００１０】
【課題を解決するための手段】
本発明の請求項１に係る発明は、筒部Ａと該筒部Ａの下端開口部を密封する底部Ｂと該筒部Ａの上端開口部を密封する蓋部Ｃとからなり、前記筒部Ａの側壁にその下端から上端方向に向かって徐々に細径となるテーパー状内周面を備え、該筒部Ａの上端開口部より下側にある側壁内周面に内方に向かって突出しその内径を上端開口部より細径とする絞り部を備えたことを特徴とする薄板小片状チップ振り出し容器である。
【００１１】
次に本発明の請求項２に係る発明は、上記請求項１に係る発明の容器において前記底部Ｂは前記筒部Ａの下端開口部に一体成形されている薄板小片状チップ振り出し容器である。
【００１２】
次に本発明の請求項３に係る発明は、上記請求項１又は請求項２に係る発明の容器において、前記底部Ｂ又は蓋部Ｃの内面に内容物の湿気を防ぐ乾燥剤Ｄが装填されている薄板小片状チップ振り出し容器である。
【００１３】
次に本発明の請求項４に係る発明は、筒部Ａと該筒部Ａの下端開口部を密封するカップ状底部Ｂと該筒部Ａの上端開口部を密封する蓋部Ｃとからなり、前記筒部Ａの側壁にその下端から上端方向に向かって徐々に細径となるテーパー状内周面を備え、該筒部Ａの上端開口部より下側にある側壁内周面に内方に向かって突出しその内径を上端開口部より細径とする絞り部を備えたことを特徴とする薄板小片状チップ振り出し容器である。
【００１４】
次に本発明の請求項５に係る発明は、上記請求項４に係る発明の容器において前記カップ状底部Ｂは前記筒部Ａの下端開口部の側壁内周面又は外周面に密に嵌着若しくは螺着して該下端開口部を密封する薄板小片状チップ振り出し容器である。
【００１５】
次に本発明の請求項６に係る発明は、上記請求項４又は請求項５に係る発明の容器において、前記カップ状底部Ｂ内部又は前記蓋部Ｃ内面に内容物の湿気を防ぐ乾燥剤Ｄが装填されている薄板小片状チップ振り出し容器である。
【００１６】
次に本発明の請求項７に係る発明は、上記請求項１乃至請求項６に係る発明の容器において、前記蓋部Ｃは前記筒部Ａの上端開口部の側壁内周面又は外周面に嵌着若しくは螺着して該上端開口部を密封する薄板小片状チップ振り出し容器である。
【００１７】
次に本発明の請求項８に係る発明は、上記請求項１乃至請求項６に係る発明の容器であって前記筒部Ａの上端開口部の側壁が外周側壁と内周側壁との二重側壁により形成されていることを特徴とする薄板小片状チップ振り出し容器である。
【００１８】
次に本発明の請求項９に係る発明は、上記請求項１乃至請求項６に係る発明の容器であって前記筒部Ａの上端開口部の側壁が外周側壁と内周側壁との二重側壁により形成され、前記蓋部Ｃが筒状側壁と天板と該天板より垂下する施蓋用のインナーリング部とからなり、該インナーリング部が前記筒部Ａの内周側壁の内周面と密に嵌着して密封されることを特徴とする薄板小片状チップ振り出し容器である。
【００１９】
次に本発明の請求項１０に係る発明は、上記請求項１乃至請求項９に係る発明の容器において、前記絞り部の水平断面形状が、真円形若しくは略真円形、又は長円形、楕円形、正方形、角丸正方形、長方形、角丸長方形、多角形、角丸多角形、星形、角丸星形、放射形、角丸放射形である薄板小片状チップ振り出し容器である。
【００２０】
次に本発明の請求項１１に係る発明は、上記請求項１乃至請求項１０に係る発明の容器において、前記絞り部の材質が樹脂又はゴムである薄板小片状チップ振り出し容器である。
【００２１】
【発明の実施の形態】
本発明の薄板小片状チップ振り出し容器を、図面に従って以下に詳細に説明すれば、図１は、本発明容器の一例を説明する全体側断面図、図２（ａ）は、本発明容器を構成する筒部Ａの側面図、図２（ｂ）はその上面図、図２（ｃ）はその下面図、図２（ｄ）はその側断面図であり、図３（ａ）は、本発明容器を構成する底部Ｂの側面図、図３（ｂ）はその上面図、図３（ｃ）はその下面図、図３（ｄ）はその側断面図であり、図４（ａ）は、本発明容器を構成する蓋部Ｃの側面図、図４（ｂ）はその上面図、図４（ｃ）はその下面図、図４（ｄ）はその側断面図である。
【００２２】
本発明の容器は、円筒状、角筒状などの筒状側壁１からなる筒部Ａの下端開口部２に、該開口部２を密封するカップ状底部Ｂを備え、該筒部Ａの上端開口部３には、該開口部３を密封する蓋部Ｃを備えている。
【００２３】
なお、本発明においては、上記筒部Ａに備えるカップ状底部Ｂは、筒部Ａに対して取り付け取り外し可能な形態であってもよいし、取り付けた後は一体となって取り外しできない形態であってもよい。
【００２４】
筒部Ａは、図１及び図２（ａ）〜（ｄ）に示すように、その筒状側壁１の内周に、その下端から上端方向に向かって徐々に細径となるテーパー状内周面１ａを備えていて、該筒部Ａの筒状側壁１下端方向の内径ｒ1 と上端方向の内径ｒ2 との関係が、ｒ2 ＜ｒ1 となっている。
【００２５】
また、本発明の容器は、該筒部Ａの上端開口部３（開口内径ｒ3 ）より僅か下側にある側壁内周面１ａには、筒部Ａの内側水平方向に向かって突出し、その側壁内周面１ａの内径を細径とする絞り部６を備えている。
【００２６】
前記絞り部６は、上端開口部３の開口内径ｒ3 よりも細い内径ｒ4 とするものであり、その関係は、ｒ4 ＜ｒ3 となっている。また、前記筒状側壁１の下端方向の内径ｒ1 と上端方向の内径ｒ2 及び上端開口部３の開口内径ｒ3 よりも細い内径ｒ4 となっていることが適当であり、その関係はｒ4 ＜ｒ3 ＜ｒ2 ＜ｒ1 となっている。また、その関係はｒ4 ＜ｒ3 ＝ｒ2 ＜ｒ1 となっていてもよい。
【００２７】
図１に示すように、前記絞り部６の形状は、その屈曲部の形状線が、内容物であるチップ８が通過し易いような丸み（曲率）をもつ形状を呈していて、側壁１のテーパー状内周面１ａの上端から最も内径の細くなっている絞り部６の部分までが、上端開口部３方向に向かって急激に先細りの形状を呈しており、また、絞り部６の最も内径の細くなっている部分から上端開口部３より僅か下側の側壁内周面１ａまでが、上端開口部３方向に向かって急激に先太り（上端開口部３と同内径）の形状を呈している。
【００２８】
前記絞り部６の容器内面における平面形状は、例えば、図２（ｂ）に示すように真円形若しくは略真円形であるが、その他に、長円形、楕円形、正方形、角丸正方形、長方形、角丸長方形、多角形、角丸多角形、星形、角丸星形、放射形、角丸放射形など、特に限定されないものである。
【００２９】
また、絞り部６の材質は、筒部Ａ本体の成形用材料の材質と同一のポリエチレン、ポリプロピレン、ポリエチレンテレフタレート、ＡＢＳ樹脂などのプラスチック成形性の良好な合成樹脂であり、又はゴム若しくは合成樹脂とゴムの複合材料などが使用できる。
【００３０】
底部Ｂは、図１及び図３（ａ）〜（ｄ）に示すように、少なくとも筒状側壁１１と、その下端部の底板１２とによりカップ状に構成されていて、その内部には容器内の湿気を吸着する化学物質として、乾燥剤Ｄ（又は鮮度保持剤）が装備されている。
【００３１】
底部Ｂは、図１及び図３（ａ）〜（ｄ）に示すように、少なくとも筒状側壁１１と、その下端部の底板１２とによりカップ状に構成されていて、その内部には容器内の湿気を吸着する化学物質として、乾燥剤Ｄ（又は鮮度保持剤）が装備されている。
【００３２】
本発明の容器は、上記容器において、該底部Ｂは、その側壁１１外周面を、筒部Ａの側壁１下端内周面に密着した状態で差し込まれていて、例えばリング状の凹部と凸部との密な嵌着１３、又は密な螺着（図示せず）により取付け固定されて筒部Ａの底部側が密封されている。
【００３３】
なお、容器を平坦な場所に載置した際の安定性を付与するために、該底部Ｂの底面周囲にはリング状又はリブ状の脚部１４を設けてもよい。
【００３４】
また、上記底部Ｂは、他の実施例として、その側壁１１内周面を、筒部Ａの側壁１下端外周面に密着した状態で差し込まれて、上記同様に密な嵌着又は密な螺着により取付け固定されて筒部Ａの底部側が密封されていてもよい。
【００３５】
本発明における上記底部Ｂは、筒部Ａに対して別体であって、該筒部Ａの下端開口部２に対して、嵌着、螺着により密封状態に取り付けられた場合を説明したが、この他に、溶着により密封状態に取り付けられたものでもよい。
【００３６】
また、この他に本発明における底部Ｂとしては、底部Ｂの側壁１１を省略し、底板１２を筒部Ａに対して、図５に示すように一体成形にて又は融着にて設けられたものでもよい。
【００３７】
本発明の容器は、上記容器において、蓋部Ｃは、図１及び図４（ａ）〜（ｄ）に示すように、少なくとも、筒状側壁２１と、その該側壁２１の上端に設けた天板２２とにより構成されていて、その側壁２１の内周面を、前記筒部Ａの筒状側壁１の上端開口部の外周面に密に嵌着又は密に螺着して、該筒部Ａの上端開口部を密封しているものである。なお、蓋部Ｃが施蓋される筒部Ａには、必要に応じて、その蓋部Ｃの側壁２１の外周面が筒部Ａの外周面と面一となるように、側壁２１の厚み分に相当する幅の肩部１ｃが形成されている。
【００３８】
また、該蓋部Ｃは、他の実施例として、天板２２と、その天板２２下面に垂下して設けた筒状栓体（図示せず）とにより構成されていてもよく、その筒状栓体の外周面を、前記筒部Ａの筒状側壁１の上端開口部の内周面に密に嵌着又は密に螺着して、該筒部Ａの上端開口部を密封しているものでもよい。
【００３９】
また、本発明における蓋部Ｃには、その側壁２１内側の天板２２下面に、容器内の湿気を吸着する化学物質として、乾燥剤Ｄ（又は鮮度保持剤）を装備するようにしてもよく、上記底部Ｂと蓋部Ｃの両方又はそのいずれか一方に乾燥剤Ｄ（又は鮮度保持剤）を装備することができる。
【００４０】
本発明の容器は、上記容器であって、図１に示すように、前記筒部Ａの筒状側壁１において、その上端開口部３の側壁部分が、外周側壁４と内周側壁５との二重側壁となっていて、その外周側壁４と内周側壁５との間には僅かな間隙７が形成されている。
【００４１】
上記外周側壁４の外周面は平滑な密着面でもよいし、又は必要に応じて螺子部４ａが螺設されていてもよく、蓋部Ｃは少なくとも筒状側壁２１と天板２２とからなり、側壁２１の内周面は、前記外周側壁４の外周面と密着する平滑な密着面でもよいし、又は必要に応じて螺子部２１ａが螺設されていてもよい。
【００４２】
上記筒部Ａの上端開口部に施蓋する際は、上記筒部Ａの上端開口部に蓋部Ｃを被せ、その筒部Ａの外周側壁４外周面と、蓋部Ｃの側壁２１内周面とを密着させて嵌着し、又は螺着するものであり、これによって筒部Ａの上端開口部を密封しているものである。
【００４３】
上記外周側壁４と内周側壁５との間には僅かな間隙７が形成されていて、これによって、外周側壁４に対しては、筒状側壁２１と天板２２とからなる蓋部Ｃの側壁２１の内周面を、筒部Ａの外周側壁４の外周面に密着させて嵌着、又は螺着して施蓋した際において、蓋部Ｃの応力に対する前記側壁４の内周方向への弾力的変形性と外周方向への弾力的復元性の両方の弾力的変形自由度が付与されて、蓋部Ｃと外周側壁４との間の密着性と、筒部Ａの上端外周部に対する蓋部Ｃの脱着操作性を高めるものである。
【００４４】
本発明の容器は、上記容器であって、図１に示すように、前記筒部Ａの筒状側壁１において、その上端開口部３の側壁部分が、外周側壁４と内周側壁５との二重側壁となっていて、上記外周側壁４と内周側壁５との間には僅かな間隙７が形成されている。
【００４５】
蓋部Ｃは、図１、図４（ａ）〜（ｄ）に示すように、筒状側壁２１と、天板２２と、該天板２２の下面中央部より垂下する密封用のインナーリング部２３とから構成されていて、該インナーリング部２３の外周面は、前記筒部Ａの上端開口部３を形成している内周側壁５の内周面に密に嵌着するようになっている。
【００４６】
そして前記筒部Ａの上端部の外周側壁４には、螺子部４ａが螺設されていて、前記蓋部Ｃの筒状側壁２１内周面には、螺子部２１ａが螺設されている。
【００４７】
上記筒部Ａの上端開口部に施蓋する際は、上記筒部Ａの上端開口部に蓋部Ｃを被せ、その筒部Ａの外周側壁４外周面と、蓋部Ｃの側壁２１内周面とを螺着し、これによって蓋部Ｃのインナーリング部２３の外周面が、筒部Ａの上端開口部３を形成している内周側壁５の内周面に徐々に差し込まれて密に嵌着するものであり、これによって筒部Ａの上端開口部を密封しているものである。
【００４８】
上記外周側壁４と内周側壁５との間には僅かな間隙７が形成されていて、これによって、外周側壁４に対しては、蓋部Ｃの側壁２１内周面を筒部Ａの外周側壁４の外周面に螺着して施蓋した際において、蓋部Ｃの応力に対する前記側壁４の内周方向への弾力的変形性と外周方向への弾力的復元性の両方の弾力的変形自由度が付与されて、蓋部Ｃと外周側壁４との間の密着性と、筒部Ａの上端外周部に対する蓋部Ｃの脱着操作性を高めるとともに、内周側壁５に対しては、施蓋した際における蓋部Ｃのインナーリング部２３の差し込み応力に対する前記側壁５の外周方向への弾力的変形性と内周方向への弾力的復元性の両方の弾力的変形自由度が付与されて、蓋部Ｃと内周側壁５との間の密着性を高めるものである。
【００４９】
【作用】
本発明の薄板小片状チップ振り出し容器は、容器の上端開口部及び下端開口部に蓋部及びカップ状底部を密着嵌合又は螺着することにより十分に密封状態を形成することができ、また、容器内周面は、その下端から上端方向に徐々に細径となるテーパー状に形成され、また、その容器上端側の内周面には、他の内周面よりも細径の絞り部が形成されているため、容器の上端開口部を下方に向けて、容器全体を振ることにより、容器内に収納包装されている多数の薄板小片状チップは、絞り部の細い内径から同時には落下せず、細い内径の絞り部の内周面に沿って滑らせながら、チップを絞り部の細い内径部から１枚ずつ取り出すことができる。
【００５０】
また、本発明の薄板小片状チップ振り出し容器は、容器内面に容器の上端開口部よりも細径の絞り部を設けることにより、上端開口部の開口径はチップが実質的に振り出される容器内部の絞り部の開口径よりも大きく設定されている。
【００５１】
そのため、たとえ、絞り部の開口部から容器上端開口部側にチップ（又はそのチップの一端部）が余分に多く出過ぎた場合であっても、絞り部より上側の開口径の大きい（内部広幅の）上端開口部内には余分に出過ぎたチップを、外にこぼさないように一旦保持することが可能になり、また、その上端開口部から絞り部に、そして絞り部から容器内に容易に戻すことが可能になる。
【００５２】
【発明の効果】
本発明の薄板小片状チップ振り出し容器は、容器の上端開口部及び下端開口部に蓋部及びカップ状底部を密着嵌合又は螺着することにより十分に密封状態を形成することができ、容器の上端開口部を下方に向けて、容器全体を振ることにより、容器内に収納包装されている多数の薄板小片状チップのうち、容器上端側の内周面に形成されている細い内径の絞り部から一部分のチップが突出して、そのうちの１枚ずつを容易に取り出すことができ、医療用センサーチップなど多数枚の薄板小片状チップを一括収納包装した振り出し容器として、チップを１枚ずつ取り出し易く、容器内の薄板状小片チップを外気や湿気との接触から十分に保護することができる効果がある。
【図面の簡単な説明】
【図１】本発明容器の一例を説明する全体側断面図。
【図２】（ａ）は本発明容器を構成する筒部Ａの側面図、（ｂ）はその上面図、（ｃ）はその下面図、（ｄ）はその側断面図。
【図３】（ａ）は本発明容器を構成する底部Ｂの側面図、（ｂ）はその上面図、（ｃ）はその下面図、（ｄ）はその側断面図。
【図４】（ａ）は本発明容器を構成する蓋部Ｃの側面図、（ｂ）はその上面図、（ｃ）はその下面図、（ｄ）はその側断面図。
【図５】（ａ）は従来の容器を説明する側断面図、（ｂ）はその容器に施蓋する蓋部の側面図。
【符号の説明】
Ａ…筒部  Ｂ…カップ状底部  Ｃ…蓋部  Ｄ…乾燥剤
１…筒状側壁  ２…下端開口部  ３…上端開口部  ４…外周側壁  ５…内周側壁
６…絞り部  ７…間隙  ８…チップ
１１…筒状側壁  １２…底板  １３…嵌合部  １４…脚部
２１…筒状側壁  ２２…天板  ２３…インナーリング部
３１…容器  ３２…筒状側壁  ３３…底板  ３４…開口部  ３５…蓋部
３６……板  ３７…栓部
【図１】
0003836292.tif 000002
【図２】
0003836292.tif 000003
【図３】
0003836292.tif 000004
【図４】
0003836292.tif 000005
【図５】
0003836292.tif 000006